(57)【要約】【課題】接合部の気密性の向上が図れると共に、接合部の隙間を狭くして接合部の見栄えを良好にするパネル及びその接合構造を提供すること。【解決手段】一対の表面板２と、これら表面板２の辺部間に介在される枠材３と、を具備するパネル１において、枠材３における他のパネル１との接合面に、嵌合用凸条部３１又は嵌合用凹条部３５を設けると共に、パネル１の厚さ方向における両端内方部位に、他のパネルに接触可能なパッキン４０を突設してなり、両パッキン４０の先端にパネル１の内方側に向かう屈曲部４１を形成し、該屈曲部４１を他のパネル１の接合面に密接する。【選択図】    図１
2015148123.tif 000002
【特許請求の範囲】
【請求項１】
一対の表面板と、これら表面板の辺部間に介在される枠材と、を具備するパネルであって、
上記枠材における他のパネルとの接合面に、嵌合用凸条部又は嵌合用凹条部を設けると共に、パネルの厚さ方向における両端内方部位に、上記他のパネルに接触可能なパッキンを突設してなり、上記両パッキンの先端に上記パネルの内方側に向かう屈曲部を形成してなる、ことを特徴とするパネル。
【請求項２】
請求項１に記載のパネルにおいて、
上記パッキンの屈曲部は、円弧状に形成されている、ことを特徴とするパネル。
【請求項３】
請求項１又は２に記載のパネルにおいて、
上記一対の表面板と、枠材とで形成される空間内に注入充填される発泡断熱材と、上記枠材の長手方向の端部同士を接続する接続部材と、を更に具備し、
上記枠材は上記嵌合用凸条部又は嵌合用凹条部を有する断面略ハット状に形成されると共に、上記嵌合用凸条部及び嵌合用凹条部の上記空間側の厚さ方向の対向する部位に係止突起が形成され、
上記接続部材は、上記係止突起に係合可能な一対の係合爪部を有する断面略ハット状に形成され、
上記枠材の長手方向の端部同士を当接した状態で上記空間側から上記接続部材の係合爪部を上記係止突起に係合させて上記枠材同士を接続してなる、ことを特徴とするパネル。
【請求項４】
一対の表面板と、これら表面板の辺部間に介在される枠材と、を具備するパネルの接合構造であって、
上記枠材における他のパネルとの接合面に、嵌合用凸条部又は嵌合用凹条部を設けると共に、互いに接合される一方のパネルの枠材のパネルの厚さ方向における両端内方部位に、上記他のパネルに接触可能なパッキンを突設してなり、上記両パッキンの先端に上記パネルの内方側に向かう屈曲部を形成し、上記嵌合用凸条部と嵌合用凹条部とが嵌合した状態で、上記屈曲部を他方のパネルに密接する、ことを特徴とするパネルの接合構造。
【請求項５】
請求項４に記載のパネルの接合構造において、
上記パッキンの屈曲部は、円弧状に形成されている、ことを特徴とするパネルの接合構造。
【請求項６】
請求項４又は５に記載のパネルの接合構造において、
上記パッキンの屈曲部は、上記他方のパネルの表面板の折曲片に密接される、ことを特徴とするパネルの接合構造。
【請求項７】
請求項４ないし６のいずれかに記載のパネルの接合構造において、
上記一対の表面板と、枠材とで形成される空間内に注入充填される発泡断熱材と、上記枠材の長手方向の端部同士を接続する接続部材と、を更に具備し、
上記枠材は上記嵌合用凸条部又は嵌合用凹条部を有する断面略ハット状に形成されると共に、上記嵌合用凸条部及び嵌合用凹条部の上記空間側の厚さ方向の対向する部位に係止突起が形成され、
上記接続部材は、上記係止突起に係合可能な一対の係合爪部を有する断面略ハット状に形成され、
上記枠材の長手方向の端部同士を当接した状態で上記空間側から上記接続部材の係合爪部を上記係止突起に係合させて上記枠材同士を接続してなる、ことを特徴とするパネルの接合構造。
【発明の詳細な説明】
【技術分野】
【０００１】
この発明は、例えばプレハブ式の冷蔵庫や冷凍庫、クリーンルームあるいは建築物の天井、壁あるいは間仕切等に使用されるパネル及びその接合構造に関するものである。
【背景技術】
【０００２】
一般に、この種のパネルは、一対の表面板と、これら表面板の辺部間に介在される枠材と、上記両表面板及び枠材にて形成される空間内に注入充填される発泡断熱材と、からなり、結合強度や気密性の観点より、枠材の外側の接合面に形成される嵌合用凸条部あるいは嵌合用凹条部を設け、これら嵌合用凸条部と嵌合用凹条部を互いに嵌合させている。
【０００３】
また、パネル同士の接合部に更に気密性を持たせるために、接合される一方のパネルの枠材の接合面に、他方のパネルの接合面に接触するパッキンが設けられている。
【０００４】
従来のこの種のパッキンとして、円形状(円筒形状)の中空パッキンが嵌合用凸条部の厚さ方向の両側面（表裏面）や、嵌合用凸条部あるいは嵌合用凹条部の厚さ方向の両側面から側方に突出するものが知られている（例えば、特許文献１，２参照）。
【先行技術文献】
【特許文献】
【０００５】
【特許文献１】特開平８−２６１６４０号公報（特許請求の範囲、段落００１５、図１，図２）
【特許文献２】特開２００８−８２０７０号公報（段落００３４、図２〜図４）
【発明の概要】
【発明が解決しようとする課題】
【０００６】
しかしながら、特許文献１，２に記載のパッキンはいずれも断面が円形の中空状であるため、パネル同士を接合した状態において、パッキンの反力が強くてパッキンが潰れきれない。そのため、パッキンとパネルの接合面との接触面積が少なく、パネル同士の接合部の隙間が広くなり、接合部の気密性が低下する懸念がある。
【０００７】
また、断面が円形の中空状のパッキンにおいては、パネル同士の接合状態において、パネル同士の接合部の隙間が広くなる上、パッキンの変形が不規則となるため、パネル同士の接合部の隙間が不均一となり見栄えが悪くなるなどの懸念もある。
【０００８】
この発明は、上記事情に鑑みてなされたもので、パネル同士の接合部の気密性の向上が図れ、また、接合部の隙間を狭くして接合部の見栄えを良好にするパネル及びパネルの接合構造を提供することを目的とする。
【課題を解決するための手段】
【０００９】
上記課題を達成するために、この発明のパネルは、一対の表面板と、これら表面板の辺部間に介在される枠材と、を具備するパネルであって、上記枠材における他のパネルとの接合面に、嵌合用凸条部又は嵌合用凹条部を設けると共に、パネルの厚さ方向における両端内方部位に、上記他のパネルに接触可能なパッキンを突設してなり、上記両パッキンの先端に上記パネルの内方側に向かう屈曲部を形成してなる、ことを特徴とする（請求項１）。この場合、上記パッキンの屈曲部は、円弧状に形成されているのが好ましい（請求項２）。
【００１０】
上記のように構成することにより、パネル同士を接合した状態において、パッキンの屈曲部をパネルの内方側に変形させて、接合する他のパネルの接合面に密接させることができる。この場合、屈曲部を円弧状に形成することにより、屈曲部が過度にパネル内方側に弾性変形するのを防ぐことができ、パネル同士の接合部の目地が深くなるのを抑制することができる。
【００１１】
また、この発明のパネルは、上記一対の表面板と、枠材とで形成される空間内に注入充填される発泡断熱材と、上記枠材の長手方向の端部同士を接続する接続部材と、を更に具備するパネルであってもよく、この場合は、上記枠材は上記嵌合用凸条部又は嵌合用凹条部を有する断面略ハット状に形成されると共に、上記嵌合用凸条部及び嵌合用凹条部の上記空間側の厚さ方向の対向する部位に係止突起が形成され、上記接続部材は、上記係止突起に係合可能な一対の係合爪部を有する断面略ハット状に形成され、上記枠材の長手方向の端部同士を当接した状態で上記空間側から上記接続部材の係合爪部を上記係止突起に係合させて上記枠材同士を接続するのが好ましい（請求項３）。
【００１２】
上記のように構成することにより、枠材の長手方向の端部同士を接続部材によって接続することにより、枠材の定尺を超える寸法のパネルを作製することができる。また、一対の表面板と、枠材とで形成される空間内に注入充填される発泡断熱材が枠材の接続部から外方に漏れ出すのを防止することができる。
【００１３】
この発明のパネルの接合構造は、一対の表面板と、これら表面板の辺部間に介在される枠材と、を具備するパネルの接合構造であって、上記枠材における他のパネルとの接合面に、嵌合用凸条部又は嵌合用凹条部を設けると共に、互いに接合される一方のパネルの枠材のパネルの厚さ方向における両端内方部位に、上記他のパネルに接触可能なパッキンを突設してなり、上記両パッキンの先端に上記パネルの内方側に向かう屈曲部を形成し、上記嵌合用凸条部と嵌合用凹条部とが嵌合した状態で、上記屈曲部を他方のパネルに密接する、ことを特徴とする（請求項４）。この場合、上記パッキンの屈曲部は、円弧状に形成されているのが好ましい（請求項５）。
【００１４】
上記のように構成することにより、パネル同士を接合した状態において、パッキンの屈曲部をパネルの内方側に変形させて、接合する他のパネルの接合面に密接させることができ、パネル同士の接合部の隙間を狭くすることができる。この場合、屈曲部を円弧状に形成することにより、屈曲部が過度にパネル内方側に弾性変形するのを防ぐことができ、パネル同士の接合部の目地が深くなるのを抑制することができる。また、パネルに設けられる各パッキンの屈曲部を同一円弧状にすることにより、屈曲部の変形が不規則とならずほぼ同様にすることができる。
【００１５】
また、請求項４又は５に記載のパネルの接合構造において、上記パッキンの屈曲部は、上記他方のパネルの表面板の折曲片に密接されるのが好ましい（請求項６）。
【００１６】
上記のように構成することにより、パッキンの屈曲部が枠材の外方接合面より内方側にある表面板の折曲片に密接されるので、接合部の隙間を狭くすることができる。
【００１７】
また、この発明のパネルの接合構造は、上記一対の表面板と、枠材とで形成される空間内に注入充填される発泡断熱材と、上記枠材の長手方向の端部同士を接続する接続部材と、を更に具備するパネルの接合構造であってもよく、この場合は、上記枠材は上記嵌合用凸条部又は嵌合用凹条部を有する断面略ハット状に形成されると共に、上記嵌合用凸条部及び嵌合用凹条部の上記空間側の厚さ方向の対向する部位に係止突起が形成され、上記接続部材は、上記係止突起に係合可能な一対の係合爪部を有する断面略ハット状に形成され、上記枠材の長手方向の端部同士を当接した状態で上記空間側から上記接続部材の係合爪部を上記係止突起に係合させて上記枠材同士を接続するのが好ましい（請求項７）。
【００１８】
上記のように構成することにより、枠材の長手方向の端部同士をパネルの内方側から接続部材によって接続することで、一対の表面板と、枠材とで形成される空間内に注入充填される発泡断熱材が枠材の接続部から外方に漏れ出すのを防止することができ、外方に漏れ出た発泡断熱材のパッキンへの付着や、パッキンの屈曲部の変形を阻害するのを防止することができる。
【発明の効果】
【００１９】
この発明によれば、上記のように構成されているので、以下のような顕著な効果が得られる。
【００２０】
（１）請求項１，４，６に記載の発明によれば、パネル同士を接合した状態において、パッキンの屈曲部をパネルの内方側に変形させて、接合する他のパネルの接合面に密接させることができるので、パネル同士の接合部の気密性の向上が図れ、また、接合部の隙間を狭くして接合部の見栄えを良好にすることができる。この場合、屈曲部を円弧状に形成することにより、屈曲部が過度にパネル内方側に弾性変形するのを防ぐことができ、パネル同士の接合部の目地が深くなるのを抑制することができるので、更に接合部の見栄えを良好にすることができる（請求項２，５）。
【００２１】
（２）請求項３，７に記載の発明によれば、上記（１）に加えて、更に枠材の長手方向の端部同士を接続部材によって接続することにより、枠材の定尺を超える寸法のパネルを作製することができる。また、一対の表面板と、枠材とで形成される空間内に注入充填される発泡断熱材が枠材の接続部から外方に漏れ出すのを防止することができ、外方に漏れ出た発泡断熱材のパッキンへの付着や、パッキンの屈曲部の変形を阻害するのを防止することができる。したがって、枠材の定尺を超える寸法のパネルにおいてもパネル同士の接合部の気密性の向上が図れると共に、接合部の隙間を狭くして見栄えを良好にすることができる。
【図面の簡単な説明】
【００２２】
【図１】この発明に係るパネルの接合状態を示す要部断面図である。
【図２】図１のＩ部拡大断面図である。
【図３】図１のII部拡大断面図である。
【図４】図１のIII部拡大断面図である。
【図５】この発明に係るパネルの要部を示す拡大断面図である。
【図６Ａ】この発明における第１の枠材を示す斜視図である。
【図６Ｂ】上記第１の枠材の要部拡大断面図である。
【図７】この発明における第２の枠材を有するパネルの要部を示す拡大断面図である。
【図８】上記第２の枠材を示す斜視図である。
【図９】この発明における第３の枠材を有するパネルの要部を示す拡大断面図である。
【図１０】上記第３の枠材を示す斜視図である。
【図１１】上記第１の枠材同士を接続部材で接続する前の状態を示す概略側面図（ａ）及び接続状態を示す概略側面図（ｂ）である。
【図１２】図１１（ｂ）の左側面図である。
【図１３】上記第１の枠材の接続部材を示す正面図である。
【図１４】上記第１の枠材の接続部材を示す斜視図である。
【図１５】上記第２の枠材同士を接続部材で接続する前の状態を示す概略側面図（ａ）及び接続状態を示す概略側面図（ｂ）である。
【図１６】図１５（ｂ）の右側面図である。
【図１７】上記第２の枠材の接続部材を示す正面図である。
【図１８】上記第２の枠材の接続部材を示す斜視図である。
【発明を実施するための形態】
【００２３】
以下に、この発明を実施するための形態について、添付図面に基づいて詳細に説明する。ここでは、この発明に係るパネルを断熱パネルにて形成し、プレハブ式の冷蔵庫に適用した場合について説明する。
【００２４】
上記冷蔵庫１０は、図１に示すように、床部１１と、天井部１２と、床部１１と天井部１２とを連結する壁部１３とを具備し、壁部１３には図示しない出入り用の開口部が設けられ、開口部には断熱パネルからなる扉体（図示せず）が開閉可能に装着されている。床部１１、天井部１２及び壁部１３は、それぞれこの発明に係る複数の断熱パネル１同士を接合してなる。
【００２５】
この発明に係る断熱パネル１は、図１ないし図４に示すように、一対の表面板２と、これら表面板２の辺部間に介在される第１，第２，第３の枠材３，３Ａ，３Ｂのいずれかと、両表面板２及び第１，第２，第３の枠材３，３Ａ，３Ｂにて形成される空間５内に充填される例えば発泡ポリウレタン等の発泡性の断熱材４とで主に構成されている。
【００２６】
上記表面板２は、例えばアルミニウム合金によって一定規格の大きさの薄板状に形成されており、各辺には対向する表面板２に向かって垂直に折曲される端部折曲片２１が形成されている（図２〜図４参照）。
【００２７】
上記第１の枠材３（以下に枠材３という）は、図１，図２，図５，図６Ａ及び図６Ｂに示すように、接合される一方の断熱パネル１の一対の表面板２の端部折曲片２１を嵌挿する一対の嵌挿溝部３３が設けられ、両嵌挿溝部３３間に枠材３の長手方向に沿って断面が台形状に形成される嵌合用凸条部３１を有する断面略ハット状に形成されている。なお、嵌合用凸条部３１の先端面に断熱パネル１の内方に向かう凹状部３２が形成されている。
【００２８】
また、図５，図６Ａ及び図６Ｂに示すように、枠材３の嵌挿溝部３３を構成する内側垂直片３３ａは嵌挿溝部３３の開口側がパネル内方側に向かって傾斜しており、内側垂直片３３ａの上端からパネル内方側に向かって水平片３３ｂが折曲されている。このように構成することにより、表面板２の端部折曲片２１を嵌挿溝部３３内に容易に嵌挿することができると共に、表面板２と枠材３との組付けを容易かつ確実にすることができる。
【００２９】
また、枠材３の断熱パネル１の厚さ方向における両端内方部位には、接合される他の断熱パネル１に接触可能なパッキン４０（以下に気密パッキン４０という）が突設されており、これら両気密パッキン４０の先端には断熱パネル１の内方側に向かう屈曲部４１が形成されている。この場合、屈曲部４１は円弧状に形成されている。なお、両気密パッキン４０の基端側には、嵌挿溝部３３の開口側に向かって突出する先細り状の舌片４２が突設されている。このように、気密パッキン４０の基端側に嵌挿溝部３３の開口側に向かって突出する先細り状の舌片４２を突設することにより、嵌挿溝部３３内に挿入される端部折曲片２１と気密パッキン４０との隙間をなくすことができ、気密性の向上が図れると共に、外観の見栄えを良好にすることができる。
【００３０】
また、枠材３の嵌合用凸条部３１の先端側の両側面の対向する部位には、パネル内方側に向かって傾斜状に突出する複数例えば２個（条）の舌片状の嵌合パッキン４３が枠材３の長手方向に沿って設けられている。
【００３１】
なお、枠材３の嵌合用凸条部３１のパネル内方側（空間５側）の厚さ方向の対向する内側の部位に一対の係止突起３４が形成されている。この一対の係止突起３４には、後述する枠材３の接続部材５０に設けられた係合爪部５１が係合し得るようになっている。
【００３２】
上記のように構成される枠材３は、ポリ塩化ビニル製部材にて形成されており、気密パッキン４０の屈曲部４１及び嵌合パッキン４３は軟質ポリ塩化ビニル製材料にて形成され、それ以外の枠材３の本体は硬質ポリ塩化ビニル製材料にて形成されている。
【００３３】
上記第２の枠材３Ａ（以下に枠材３Ａという）は、図１，図２，図７及び図８に示すように、接合される他方の断熱パネル１の一対の表面板２の端部折曲片２１を嵌挿する一対の嵌挿溝部３３が設けられ、両嵌挿溝部３３間に枠材３Ａの長手方向に沿って断面が逆台形状に形成される嵌合用凹条部３５を有する断面略ハット状に形成されている。なお、嵌合用凹条部３５の対向する壁部１３の対向面にはパネル内方側に向かって傾斜する鋸歯状の嵌合凹凸細条３６が形成されている。
【００３４】
また、図７及び図８に示すように、枠材３Ａの嵌挿溝部３３を構成する内側垂直片３３ａは、枠材３と同様に、嵌挿溝部３３の開口側がパネル内方側に向かって傾斜しており、内側垂直片３３ａの上端からパネル内方側に向かって水平片３３ｂが折曲されている。このように構成することにより、表面板２の端部折曲片２１を嵌挿溝部３３内に容易に嵌挿することができると共に、表面板２と枠材３との組付けを容易かつ確実にすることができる。
【００３５】
なお、枠材３Ａの嵌合用凹条部３５のパネル内方側（空間５側）の厚さ方向の対向する外側の部位に一対の係止突起３４Ａが形成されている。この場合、係止突起３４Ａはパネル内方側からパネル外方側に向かって傾斜状に隆起した断面略三角形状に形成されている。この一対の係止突起３４Ａには、後述する枠材３Ａの接続部材５０Ａに設けられた係合爪部５１Ａが係合し得るようになっている。
【００３６】
上記のように構成される枠材３Ａは、全体が硬質ポリ塩化ビニル製部材にて形成されている。
【００３７】
上記第３の枠材３Ｂ（以下に枠材３Ｂという）は、図１，図３，図４，図９及び図１０に示すように、コ字状基部３０の開口側の対向部位に嵌挿溝部３３が形成され、一方の嵌挿溝部３３に隣接する辺は、長手方向に沿って断面が逆台形状の嵌合用凹条部３５Ｂを有する断面略ハット状に形成されている。なお、嵌合用凹条部３５Ｂの対向する壁部１３の対向面にはパネル内方側に向かって傾斜する鋸歯状の嵌合凹凸細条３６が形成されている。また、嵌合用凹条部３５Ｂの底部３７の両側には一対の凸条リブ３８が突設されている。
【００３８】
また、図９及び図１０に示すように、枠材３Ｂの嵌挿溝部３３を構成する内側垂直片３３ａは、枠材３及び３Ａと同様に、嵌挿溝部３３の開口側がパネル内方側に向かって傾斜しており、内側垂直片３３ａの上端からパネル内方側に向かって若干傾斜する水平片３３ｂが折曲されている。このように構成することにより、表面板２の端部折曲片２１を嵌挿溝部３３内に容易に嵌挿することができると共に、表面板２と枠材３との組付けを容易かつ確実にすることができる。
【００３９】
上記のように構成される枠材３Ｂは、全体が硬質ポリ塩化ビニル製部材にて形成されている。
【００４０】
上記のように構成される枠材３，３Ａ，３Ｂに設けられた嵌挿溝部３３内に表面板２の端部折曲片２１を嵌挿して、一対の表面板２と枠材３，３Ａ，３Ｂとを組み付けた状態で、一対の表面板２と枠材３，３Ａ，３Ｂとで形成される空間５内に断熱材４を注入充填することで、断熱パネル１が作製される。
【００４１】
次に、断熱パネル１同士の接合構造について説明する。
【００４２】
＜接合構造１＞
上記のように形成された気密パッキン４０と嵌合パッキン４３を設けた枠材３を有する一方の断熱パネル１と、枠材３Ａを有する他方の断熱パネル１を接合するには、図１及び図２に示すように、一方の断熱パネル１の枠材３の嵌合用凸条部３１と他方の断熱パネル１の枠材３Ａの嵌合用凹条部３５と嵌合する。この状態で、気密パッキン４０の屈曲部４１がパネル内方側に弾性変形して他方の断熱パネル１の表面板２の端部折曲片２１の接合面に密接する。これにより、両断熱パネル１の接合部の隙間を狭くすることができ、気密性の向上が図れる。
【００４３】
また、嵌合用凸条部３１と嵌合用凹条部３５とを嵌合した状態では、枠材３の嵌合用凸条部３１に設けられた２条の嵌合パッキン４３が枠材３Ａの嵌合用凹条部３５に設けられた嵌合凹凸細条３６に係合する。これにより、嵌合用凸条部３１と嵌合用凹条部３５の嵌合部においても気密性を持たせることができる。
【００４４】
なお、図１及び図２に示す接合構造１は、冷蔵庫１０の床部１１を構成する断熱パネル１同士の接合について説明したが、床部１１以外の天井部１２や壁部１３においても同様の接合構造とすることができる。
【００４５】
上記のように構成される接合構造１によれば、気密パッキン４０と嵌合パッキン４３による二重シール機能を有するので、気密性及び断熱性の向上が図れる。また、気密パッキン４０の円弧状の屈曲部４１がパネル内方側に弾性変形して他方の断熱パネル１の表面板２の端部折曲片２１の接合面に密接することで、円弧状の屈曲部４１が過度にパネル内方側に弾性変形するのを防ぐことができ、断熱パネル１同士の接合部の目地が深くなるのを抑制して、断熱パネル１同士の接合部の見栄えを良好にすることができる。
【００４６】
＜接合構造２＞
上記のように形成された気密パッキン４０と嵌合パッキン４３を設けた枠材３を有する一方の断熱パネル１と、枠材３Ｂを有する他方の断熱パネル１を接合するには、図１，図３及び図４に示すように、一方の断熱パネル１の枠材３の嵌合用凸条部３１と他方の断熱パネル１の枠材３Ｂの嵌合用凹条部３５Ｂと嵌合する。この状態で、気密パッキン４０の屈曲部４１がパネル内方側に弾性変形して他方の断熱パネル１の表面板２の端部折曲片２１近傍の接合面と枠材３Ｂの接合面に密接する。これにより、両断熱パネル１の接合部の隙間を狭くすることができ、気密性の向上が図れる。
【００４７】
また、嵌合用凸条部３１と嵌合用凹条部３５Ｂとを嵌合した状態では、枠材３の嵌合用凸条部３１に設けられた２条の嵌合パッキン４３が枠材３Ｂの嵌合用凹条部３５Ｂに設けられた嵌合凹凸細条３６に係合する。これにより、嵌合用凸条部３１と嵌合用凹条部３５Ｂの嵌合部においても気密性を持たせることができる。
【００４８】
なお、図１，図３及び図４に示す接合構造２は、冷蔵庫１０の床部１１を構成する断熱パネル１と壁部１３を構成する断熱パネル１の接合と、壁部１３を構成する断熱パネル１と天井部１２を構成する断熱パネル１の接合について説明したが、この形態以外の壁部１３を構成する断熱パネル１同士においても同様の接合構造とすることができる。
【００４９】
上記のように構成される接合構造２によれば、接合構造１と同様に、気密パッキン４０と嵌合パッキン４３による二重シール機能を有するので、気密性及び断熱性の向上が図れる。また、気密パッキン４０の円弧状の屈曲部４１がパネル内方側に弾性変形して他方の断熱パネル１の表面板２の端部折曲片２１近傍の接合面と枠材３Ｂの接合面に密接するので、断熱パネル１同士の接合部の隙間を狭くすることができ、断熱パネル１同士の接合部の見栄えを良好にすることができる。
【００５０】
上記のように構成される断熱パネル及び接合構造は、枠材３，３Ａの定尺を超える寸法の断熱パネル１にも適用することができる。
【００５１】
例えば、枠材３を有する断熱パネル１においては、図１１及び図１２に示すように、枠材３の長手方向の端部同士を接続部材５０によって接続して、枠材３の定尺を超える寸法の断熱パネル１を作製することができる。この場合、上述したように、枠材３の嵌合用凸条部３１の空間５側の厚さ方向の対向する内側部位に一対の係止突起３４を形成する。
【００５２】
上記接続部材５０は、図１３及び図１４に示すように、枠材３の嵌合用凸条部３１のパネル内方側（空間５側）に嵌合する先端に凹状部５２を設けた断面略台形状の凸状嵌合部５３と、この凸状嵌合部５３の開口側の両端に延在する一対のフランジ部５４とからなる断面略ハット状に形成されており、凸状嵌合部５３のフランジ部５４側の対向する外側面に、枠材３に形成された一対の係止突起３４に係合可能な一対の係合爪部５１が形成されている。このように形成される接続部材５０は、例えばポリ塩化ビニル製部材にて形成されている。
【００５３】
枠材３の長手方向の端部同士を接続するには、図１１（ａ），（ｂ）及び図１２に示すように、枠材３の長手方向の端部同士を当接した状態で空間５側から接続部材５０を枠材３の接続部に押し当てて係合爪部５１を係止突起３４に係合させて枠材３同士を接続する。
【００５４】
また、枠材３Ａを有する断熱パネル１においては、図１５及び図１６に示すように、枠材３Ａの長手方向の端部同士を接続部材５０Ａによって接続して、枠材３Ａの定尺を超える寸法の断熱パネル１を作製することができる。この場合、上述したように、枠材３Ａの嵌合用凹条部３５の空間５側の厚さ方向の対向する外側部位に一対の係止突起３４Ａを形成する。
【００５５】
上記接続部材５０Ａは、図１７及び図１８に示すように、枠材３Ａの嵌合用凹条部３５のパネル内方側（空間５側）に嵌合する先端に断面略逆台形状の凹状嵌合部５５と、この凹状嵌合部５５の開口側の両端に延在する一対のフランジ部５４Ａとからなる断面略ハット状に形成されており、凹状嵌合部５５のフランジ部５４Ａ側の対向する外側面に、枠材３Ａに形成された一対の係止突起３４Ａに係合可能な一対の係合爪部５１Ａが形成されている。このように形成される接続部材５０Ａは、例えばポリ塩化ビニル製部材にて形成されている。
【００５６】
枠材３Ａの長手方向の端部同士を接続するには、図１５（ａ），（ｂ）及び図１６に示すように、枠材３Ａの長手方向の端部同士を当接した状態で空間５側から接続部材５０Ａを枠材３Ａの接続部に押し当てて係合爪部５１Ａを係止突起３４Ａに係合させて枠材３Ａ同士を接続する。
【００５７】
上記のように構成することにより、更に枠材３，３Ａの長手方向の端部同士を接続部材５０，５０Ａによって接続した状態で、枠材３，３Ａに設けられた嵌挿溝部３３内に表面板２の端部折曲片２１を嵌挿して、一対の表面板２と枠材３，３Ａとを組み付けた状態で、一対の表面板２と枠材３，３Ａとで形成される空間５内に断熱材４を注入充填することで、枠材３，３Ａの定尺を超える寸法の断熱パネル１を作製することができる。また、一対の表面板２と、枠材３，３Ａとで形成される空間５内に注入充填される発泡断熱材４が枠材３，３Ａの接続部から外方に漏れ出すのを防止することができ、外方に漏れ出た発泡断熱材４の気密パッキン４０や嵌合パッキン４３への付着や、気密パッキン４０の屈曲部４１の変形を阻害するのを防止することができる。したがって、枠材３，３Ａの定尺を超える寸法の断熱パネル１においても断熱パネル１同士の接合部の気密性の向上が図れると共に、接合部の隙間を狭くして見栄えを良好にすることができる。
【００５８】
なお、上記実施形態では、気密パッキン４０を嵌合用凸条部３１を有する枠材３に設ける場合について説明したが、気密パッキン４０を嵌合用凹状部３５，３５Ｂを有する枠材３Ａ，３Ｂに設けても、上記実施形態と同様に接合部の気密性の向上が図れると共に、接合部の見栄えを良好にすることができる。
【００５９】
また、上記実施形態では、一対の表面板２と、両表面板２の辺部間に介在される枠材３，３Ａ，３Ｂとで形成される空間５内に発泡断熱材４を注入充填する断熱パネル１について説明したが、この発明は、これに限定されるものではなく、発泡断熱材４を具備しないパネルにも適用できる。
【符号の説明】
【００６０】
１  断熱パネル
２  表面板
３，３Ａ，３Ｂ  枠材
４  発泡断熱材
５  空間
２１  端部折曲片
３１  嵌合用凸条部
３４，３４Ａ  係止突起
３５，３５Ｂ  嵌合用凹状部
４０  パッキン（気密パッキン）
４１  屈曲部
５０，５０Ａ  接続部材
５１，５１Ａ  係合爪部
【図１】
2015148123.tif 000003
【図２】
2015148123.tif 000004
【図３】
2015148123.tif 000005
【図４】
2015148123.tif 000006
【図５】
2015148123.tif 000007
【図６Ａ】
2015148123.tif 000008
【図６Ｂ】
2015148123.tif 000009
【図７】
2015148123.tif 000010
【図８】
2015148123.tif 000011
【図９】
2015148123.tif 000012
【図１０】
2015148123.tif 000013
【図１１】
2015148123.tif 000014
【図１２】
2015148123.tif 000015
【図１３】
2015148123.tif 000016
【図１４】
2015148123.tif 000017
【図１５】
2015148123.tif 000018
【図１６】
2015148123.tif 000019
【図１７】
2015148123.tif 000020
【図１８】
2015148123.tif 000021
【手続補正書】
【提出日】平成26年12月8日(2014.12.8)
【手続補正１】
【補正対象書類名】明細書
【補正対象項目名】００３３
【補正方法】変更
【補正の内容】
【００３３】
上記第２の枠材３Ａ（以下に枠材３Ａという）は、図１，図２，図７及び図８に示すように、接合される他方の断熱パネル１の一対の表面板２の端部折曲片２１を嵌挿する一対の嵌挿溝部３３が設けられ、両嵌挿溝部３３間に枠材３Ａの長手方向に沿って断面が逆台形状に形成される嵌合用凹条部３５を有する断面略ハット状に形成されている。なお、嵌合用凹条部３５の対向する壁部の対向面にはパネル内方側に向かって傾斜する鋸歯状の嵌合凹凸細条３６が形成されている。
【手続補正２】
【補正対象書類名】明細書
【補正対象項目名】００３７
【補正方法】変更
【補正の内容】
【００３７】
上記第３の枠材３Ｂ（以下に枠材３Ｂという）は、図１，図３，図４，図９及び図１０に示すように、コ字状基部３０の開口側の対向部位に嵌挿溝部３３が形成され、一方の嵌挿溝部３３に隣接する辺は、長手方向に沿って断面が逆台形状の嵌合用凹条部３５Ｂを有する断面略ハット状に形成されている。なお、嵌合用凹条部３５Ｂの対向する壁部の対向面にはパネル内方側に向かって傾斜する鋸歯状の嵌合凹凸細条３６が形成されている。また、嵌合用凹条部３５Ｂの底部３７の両側には一対の凸条リブ３８が突設されている。
【手続補正３】
【補正対象書類名】明細書
【補正対象項目名】００４４
【補正方法】変更
【補正の内容】
【００４４】
なお、図１及び図２に示す＜接合構造１＞は、冷蔵庫１０の床部１１を構成する断熱パネル１同士の接合について説明したが、床部１１以外の天井部１２や壁部１３においても同様の接合構造とすることができる。
【手続補正４】
【補正対象書類名】明細書
【補正対象項目名】００４５
【補正方法】変更
【補正の内容】
【００４５】
上記のように構成される＜接合構造１＞によれば、気密パッキン４０と嵌合パッキン４３による二重シール機能を有するので、気密性及び断熱性の向上が図れる。また、気密パッキン４０の円弧状の屈曲部４１がパネル内方側に弾性変形して他方の断熱パネル１の表面板２の端部折曲片２１の接合面に密接することで、円弧状の屈曲部４１が過度にパネル内方側に弾性変形するのを防ぐことができ、断熱パネル１同士の接合部の目地が深くなるのを抑制して、断熱パネル１同士の接合部の見栄えを良好にすることができる。
【手続補正５】
【補正対象書類名】明細書
【補正対象項目名】００４８
【補正方法】変更
【補正の内容】
【００４８】
なお、図１，図３及び図４に示す＜接合構造２＞は、冷蔵庫１０の床部１１を構成する断熱パネル１と壁部１３を構成する断熱パネル１の接合と、壁部１３を構成する断熱パネル１と天井部１２を構成する断熱パネル１の接合について説明したが、この形態以外の壁部１３を構成する断熱パネル１同士においても同様の接合構造とすることができる。
【手続補正６】
【補正対象書類名】明細書
【補正対象項目名】００４９
【補正方法】変更
【補正の内容】
【００４９】
上記のように構成される＜接合構造２＞によれば、＜接合構造１＞と同様に、気密パッキン４０と嵌合パッキン４３による二重シール機能を有するので、気密性及び断熱性の向上が図れる。また、気密パッキン４０の円弧状の屈曲部４１がパネル内方側に弾性変形して他方の断熱パネル１の表面板２の端部折曲片２１近傍の接合面と枠材３Ｂの接合面に密接するので、断熱パネル１同士の接合部の隙間を狭くすることができ、断熱パネル１同士の接合部の見栄えを良好にすることができる。
【手続補正７】
【補正対象書類名】図面
【補正対象項目名】図３
【補正方法】変更
【補正の内容】
【図３】
2015148123.tif 000022
【手続補正８】
【補正対象書類名】図面
【補正対象項目名】図４
【補正方法】変更
【補正の内容】
【図４】
2015148123.tif 000023
【手続補正９】
【補正対象書類名】図面
【補正対象項目名】図５
【補正方法】変更
【補正の内容】
【図５】
2015148123.tif 000024
【手続補正１０】
【補正対象書類名】図面
【補正対象項目名】図９
【補正方法】変更
【補正の内容】
【図９】
2015148123.tif 000025